(57)【特許請求の範囲】
【請求項１】
シート状表示部と、このシート状表示部の上部に形成される吊り下げ部と、上記シート状表示部の下端から上方に向かって延びる左右一対の切り目とを備えるサンプル引き換えカードと、それ自体のＬ字状の縦辺の上端部に被吊り下げ体を突設したＬ字状の陳列部材とからなるサンプル引き換え用ツールであって、上記両切り目で囲まれる上記シート状表示部の部分が差し込み片に形成され、上記シート状表示部に、店内で所定の化粧料のサンプルの配布が上記サンプル引き換えカードと引き換えに行われることが表示され、上記陳列部材のＬ字状の横辺に上記所定の化粧料を収容した商品包装箱が載置された状態で、上記差し込み片を商品包装箱の隙間に差し込むことによりサンプル引き換えカードを起立させる態様と、上記吊り下げ部を利用してサンプル引き換えカードを被吊り下げ体に吊り下げる態様とのいずれかを選択可能に構成したことを特徴とするサンプル引き換え用ツール。
【発明の詳細な説明】
【０００１】
【発明の属する技術分野】
本発明は、化粧料のサンプルの配布を効果的に行うことができるサンプル引き換え用ツールに関するものである。
【０００２】
【従来の技術】
従来から、化粧料販売では、新製品を発売する場合に、その新製品発売に先立って、顧客に新製品のサンプルを配布する等、新製品への関心を高めるキャンペーンを行い、これにより、販売促進につなげるようにしている。そこで、店頭等に、新製品の紹介をするとともにそのサンプルの配布を告知する広告用ポスターを貼ったり、化粧料の売り場等で、新製品を紹介するとともにそのサンプルを配布したりすることが行われている。
【０００３】
【発明が解決しようとする課題】
しかしながら、店頭等に、新製品のサンプルの配布を告知する広告用ポスターを貼る場合には、この広告用ポスターによる告知が、来店する広範な顧客層に対して漠然とアピールされるだけであり、期待されるほどには販売促進効果が得られない。一方、化粧料の売り場等で新製品のサンプルを配布する場合には、化粧料の売り場等にまで足を運んで来た顧客に対してアピールされるだけであり、この場合にも、期待されるほどには販売促進効果が得られない。そこで、化粧料の売り場等にまで足を運んで来た顧客以外に、新製品に関連する関連商品に関心のある顧客等に対しても、化粧料の売り場等で、上記関連商品に関連する新製品のサンプルが配布されていることを強くアピールすることができる販売促進用のツールが強く要望されている。
【０００４】
本発明は、このような事情に鑑みなされたもので、化粧料の売り場等にまで足を運んで来た顧客以外に、新製品に関連する関連商品に関心のある顧客等に対しても、化粧料の売り場等で、上記関連商品に関連する新製品のサンプルが配布されていることを強くアピールすることができるサンプル引き換え用ツールの提供を目的とする。
【０００５】
【課題を解決するための手段】
上記の目的を達成するため、本発明のサンプル引き換え用ツールは、シート状表示部と、このシート状表示部の上部に形成される吊り下げ部と、上記シート状表示部の下端から上方に向かって延びる左右一対の切り目とを備えるサンプル引き換えカードと、それ自体のＬ字状の縦辺の上端部に被吊り下げ体を突設したＬ字状の陳列部材とからなるサンプル引き換え用ツールであって、上記両切り目で囲まれる上記シート状表示部の部分が差し込み片に形成され、上記シート状表示部に、店内で所定の化粧料のサンプルの配布が上記サンプル引き換えカードと引き換えに行われることが表示され、上記陳列部材のＬ字状の横辺に上記所定の化粧料を収容した商品包装箱が載置された状態で、上記差し込み片を商品包装箱の隙間に差し込むことによりサンプル引き換えカードを起立させる態様と、上記吊り下げ部を利用してサンプル引き換えカードを被吊り下げ体に吊り下げる態様とのいずれかを選択可能に構成したという構成をとる。
【０００６】
すなわち、本発明のサンプル引き換え用ツールは、シート状表示部と、このシート状表示部の上部に形成される吊り下げ部と、上記シート状表示部の下端から上方に向かって延びる左右一対の切り目とを備えるサンプル引き換えカードと、それ自体のＬ字状の縦辺の上端部に被吊り下げ体を突設したＬ字状の陳列部材とからなっており、上記両切り目で囲まれる上記シート状表示部の部分が差し込み片に形成されている。また、上記シート状表示部に、店内で所定の化粧料のサンプルの配布がこのサンプル引き換えカードと引き換えに行われることが表示されている。そして、使用時には、上記所定の化粧料の陳列場所（この陳列場所は、上記所定の化粧料のメーカーの自社商品だけでなく、上記所定の化粧料と同種類の他社商品が陳列されている陳列場所であってもよい）に、このサンプル引き換えカードをその吊り下げ部を利用して陳列部材の被吊り下げ体に吊り下げたり、その差し込み片を、上記所定の化粧料を収容した商品包装箱の隙間に差し込んで起立させたりすることが行われる。したがって、上記所定の化粧料に関心のある顧客等に対し、上記所定の化粧料のサンプルの配布が行われることを強くアピールすることができる。この場合に、アピールする対象は、上記所定の化粧料に関心のある顧客だけでなく、上記他社商品や関連商品に関心のある顧客等であるため、上記サンプルの配布に対するアピール度は非常に強い。その結果、上記他社商品や関連商品に関心のある顧客等が上記メーカーの化粧料の売り場等にまで足を運んで来ることになり、大きな販売促進効果が得られる。なお、上記関連商品としては、化粧料がファンデーションである場合には、脂取り紙，スポンジ等が挙げられ、化粧料が毛髪化粧料である場合には、くし，ブラシ等が挙げられ、化粧料が口紅である場合には、リップブラシ等が挙げられる。また、上記関連商品は上記所定の化粧料のメーカーの自社商品であってもよいし、他社商品であってもよい。
【０００７】
本発明では、上記Ｌ字状の陳列部材のＬ字状の縦辺の被吊り下げ体に上記サンプル引き換えカードを吊り下げた状態で、Ｌ字状の横辺に商品包装箱を陳列することができる。また、上記差し込み片を商品包装箱の隙間に差し込むことによりサンプル引き換えカードを起立させることができる。
【０００８】
【発明の実施の形態】
つぎに、本発明の実施の形態を図面にもとづいて説明する。
【０００９】
図１は本発明のサンプル引き換え用ツールの一実施の形態を吊り下げ用として用いた場合を示している。図において、１はサンプル引き換えカード（サンプル引き換え用ツール）であり、所定の化粧料（この実施の形態では、薬用美白ジェル）の新製品を陳列する陳列部材１０のフック部１３に吊り下げられている。図において、９は紙製もしくはプラスチック製の折り畳み箱からなる商品包装箱であり、上面開口部を有する本体９ａと、この本体９ａの上面開口部の一側から折り曲げ自在に延設される蓋９ｂとで構成されている。この商品包装箱９には、その内部に、上記新製品を収容したボトルタイプの化粧料容器（図示せず）が収容されている。
【００１０】
上記サンプル引き換えカード１は、上記化粧料容器の形状に似せて作製された１枚の紙製シートからなり、図２に示すように、本体部（シート状表示部）２と、この本体部２の中央上端部に穿設される穴部（吊り下げ部）３と、この本体部２の下端から垂直に延びる左右一対の切り目４，４とからなっている。上記本体部２には、「サンプル引き換え券」の文字が表示されているとともに、この文字の下側に、「薬用美白ジェルのサンプルを差しあげます。この引き換え券をカウンターへおもちください。」の文字が表示されており、店内の化粧料コーナーのカウンターで、上記サンプル引き換えカード１と引き換えに新製品のサンプルの配布が行われることが告知されている。また、上記両切り目４，４で挟まれた本体部２の部分で差し込み片５が形成されており、この差し込み片５を上記商品包装箱９の本体９ａの上面開口部と蓋９ｂとの間の隙間に差し込むことで、上記商品包装箱９にサンプル引き換えカード１を起立させた状態で固定できるようにしている（図３および図４参照）。なお、図１，図３および図１０では、上記の各文字は図示せず。
【００１１】
上記陳列部材１０は、紙製もしくはプラスチック製のＬ字状折り曲げ板からなり、商品包装箱９が載置される台板部分（Ｌ字状の横辺）１１と、この台板部分１１の左側縁から立設された立板部分（Ｌ字状の縦辺）１２とからなり、この立板部分１２の上端部からフック部（被吊り下げ体）１３が前方に向かって突設されている（図５〜図８参照）。そして、上記フック部１３にサンプル引き換えカード１の穴部３を挿通することにより、サンプル引き換えカード１を吊り下げることができるようにしている（図１参照）。
【００１２】
上記サンプル引き換えカード１は、化粧料やその関連商品を販売する販売店において、例えばつぎのようにして用いられる。すなわち、まず、上記サンプル引き換えカード１を多数枚用意する。ついで、上記各サンプル引き換えカード１を店頭，店内の化粧料コーナーの陳列棚（図示せず）および関連商品の陳列コーナー（図示せず）等に配設する。なお、上記化粧料コーナーの陳列棚は、上記所定の化粧料のメーカーの自社商品を陳列する陳列棚であってもよいし、自社商品と他社商品を一緒に陳列する陳列棚あってもよい。また、上記関連商品は、自社商品であってもよいし、他社商品であってもよい。そして、上記化粧料コーナーの陳列棚では、この陳列棚上に載置した陳列部材１０の台板部分１１上に１個〜４個（図９では、２個）の商品包装箱９を配設するとともに、立板部分１２の左側に１個もしくは複数個（図９では、１個）の商品包装箱９を配設した状態で（図９参照）、上記立板部分１２の上端部から突設するフック部１３に所定枚数のサンプル引き換えカード１を吊り下げることが行われる（図１，図１０〜図１２参照。これらの図では、１枚のサンプル引き換えカード１が吊り下げられている）。一方、上記各サンプル引き換えカード１の差し込み片５を商品包装箱９の本体９ａの上面開口部と蓋９ｂとの間の隙間に差し込み、商品包装箱９にサンプル引き換えカード１を起立させることも行われる（図３および図４参照）。このように、サンプル引き換えカード１を吊り下げたり、起立させたりすることは、化粧料コーナーの陳列棚だけでなく、関連商品の陳列コーナー等においても行われる。これにより、上記各サンプル引き換えカード１が上記所定の化粧料やその関連商品に関心のある顧客およびこれらを購入しようとする顧客の目にふれるようになる。
【００１３】
このようにして、上記各サンプル引き換えカード１を化粧料コーナーの陳列棚や関連商品の陳列コーナー等に配設しておくと、上記所定の化粧料やその関連商品に関心のある顧客（この実施の形態では、美白に関心の高い顧客）等が、上記各サンプル引き換えカード１を見て、店内で上記所定の化粧料の新製品のサンプルの配布が行われており、店内の化粧料コーナーのカウンターで上記各サンプル引き換えカード１と引き換えに上記新製品のサンプルを配布してくれることを知る。これにより、顧客は新製品のサンプルの配布を受けるために、化粧料コーナーに足を運ぶことになり、販売促進につながる。
【００１４】
このように、上記実施の形態では、上記所定の化粧料やその関連商品に関心のある顧客等に対し、新製品のサンプルの配布を強くアピールすることができるため、上記顧客等が化粧料コーナーにまで足を運んでくれるようになり、大きな販売促進効果が得られる。
【００１５】
なお、上記実施の形態では、サンプル引き換えカード１は、化粧料容器の形状に似せて作製されているが、これに限定するものではなく、各種形状にすることができる。例えば、矩形に形成された１枚の紙製シートに、化粧料容器の形状に似せた写真，絵等が表示されていてもよい。
【００１６】
【発明の効果】
以上のように、本発明のサンプル引き換え用ツールによれば、使用時には、所定の化粧料の陳列場所（この陳列場所は、上記所定の化粧料のメーカーの自社商品だけでなく、上記所定の化粧料と同種類の他社商品が陳列されている陳列場所であってもよい）や、上記所定の化粧料に関連する関連商品の陳列場所等に、このサンプル引き換えカードをその吊り下げ部を利用して陳列部材の被吊り下げ体に吊り下げたり、その差し込み片を、上記所定の化粧料を収容した商品包装箱の隙間に差し込んで起立させたりすることが行われる。したがって、上記所定の化粧料、これと同種類の他社商品およびその関連商品に関心のある顧客等に対し、上記所定の化粧料のサンプルの配布が行われることを強くアピールすることができる。この場合に、アピールする対象は、上記所定の化粧料に関心のある顧客だけでなく、上記他社商品や関連商品に関心のある顧客等であるため、上記サンプルの配布に対するアピール度は非常に強い。その結果、上記他社商品や関連商品に関心のある顧客等が上記メーカーの化粧料の売り場等にまで足を運んで来ることになり、大きな販売促進効果が得られる。
【００１７】
本発明では、上記Ｌ字状の陳列部材のＬ字状の縦辺の被吊り下げ体に上記サンプル引き換えカードを吊り下げた状態で、Ｌ字状の横辺に商品包装箱を陳列することができる。また、上記差し込み片を商品包装箱の隙間に差し込むことによりサンプル引き換えカードを起立させることができる。
【図面の簡単な説明】
【図１】本発明のサンプル引き換え用ツールの一実施の形態を吊り下げ用として用いた場合を示す斜視図である。
【図２】上記サンプル引き換え用ツールの拡大正面図である。
【図３】上記サンプル引き換え用ツールを差し込み用として用いた場合を示す正面図である。
【図４】上記サンプル引き換え用ツールを差し込み用として用いた場合を示す要部断面図である。
【図５】陳列部材の斜視図である。
【図６】上記陳列部材の側面図である。
【図７】上記陳列部材の正面図である。
【図８】上記陳列部材の平面図である。
【図９】上記陳列部材を用いて商品包装箱を陳列した状態を示す斜視図である。
【図１０】上記サンプル引き換え用ツールを吊り下げ用として用いた場合を示す正面図である。
【図１１】上記サンプル引き換え用ツールを吊り下げ用として用いた場合を示す側面図である。
【図１２】上記サンプル引き換え用ツールを吊り下げ用として用いた場合を示す平面図である。
【符号の説明】
１  サンプル引き換えカード
２  本体部
３  穴部
４  切り目
５  差し込み片
【図１】
0003581632.tif 000002
【図２】
0003581632.tif 000003
【図３】
0003581632.tif 000004
【図４】
0003581632.tif 000005
【図５】
0003581632.tif 000006
【図６】
0003581632.tif 000007
【図７】
0003581632.tif 000008
【図８】
0003581632.tif 000009
【図９】
0003581632.tif 000010
【図１０】
0003581632.tif 000011
【図１１】
0003581632.tif 000012
【図１２】
0003581632.tif 000013